(57)【要約】【課題】シリンダ上部に設けた吸気孔を閉塞するための閉塞筒部材の組み付け時及び使用時における変形などの損傷を防止し、もって、吸気孔を通じた液漏れを防止することができる液体噴出ポンプを提供する。【解決手段】リングキャップ5に、閉塞筒部材14の基筒部12を挿入させる案内筒18を設け、閉塞筒部材14の基筒部12には、作動部材Bと固定吸引部Aとの係止を解除させて作動部材Bが最上昇状態に移行する際に、作動部材Bが閉塞筒部材14を押し上げ、摺動閉塞部11を吸気孔6の上方まで移動させると、リングキャップ5の案内筒18の下端面40に当接して閉塞筒部材14のさらなる上方への移動を阻止する上向き段部41を設ける。【選択図】図１
2015085972.tif 000002
【特許請求の範囲】
【請求項１】
容器体の口頚部外周に取り付けた装着筒により容器体内に下端を垂下させた状態でシリンダを固定するとともに、シリンダ上端にリングキャップを嵌着させ、シリンダ上部に外気導入用の吸気孔を穿設してなる固定吸引部と、
前記リングキャップ中央の開口より上方付勢状態で上下動可能に突出させたステム上端にノズル付き押し下げヘッドを設けた作動部材とを備え、
該作動部材の上下動により容器体内の液を吸い上げてノズルより噴出する如く構成するとともに、作動部材を押し下げた状態で固定吸引部に係止可能に構成し、
前記シリンダ上部に摺動可能に嵌合させて前記吸気孔を閉塞可能な摺動閉塞部と、該摺動閉塞部を下部外周より周突設した基筒部とからなり、前記作動部材が最下降の係止状態に移行する際に、作動部材上部に設けた下向き段部により押し下げられて吸気孔を閉塞する如く構成した閉塞筒部材を備える液体噴出ポンプにおいて、
前記リングキャップは、前記閉塞筒部材の基筒部を挿入させる案内筒を有し、
前記閉塞筒部材の基筒部は、前記作動部材と前記固定吸引部との係止を解除させて作動部材が最上昇状態に移行する際に、作動部材が閉塞筒部材を押し上げ、摺動閉塞部を吸気孔の上方まで移動させると、前記リングキャップの案内筒の下端面に当接して閉塞筒部材のさらなる上方への移動を阻止する上向き段部を有することを特徴とする液体噴出ポンプ。
【発明の詳細な説明】
【技術分野】
【０００１】
本発明は、液体噴出ポンプに関し、シリンダ上部に設けた吸気孔を閉塞するための閉塞筒部材の組み付け時及び使用時における変形などの損傷を防止し、もって、吸気孔を通じた液漏れを防止しようとするものである。
【背景技術】
【０００２】
従来、この種の液体噴出ポンプとして、例えば特許文献１に記載されるようなものが知られている。図４及び図５に示すように、このような従来の液体噴出ポンプ１００は、容器体（図示省略）の口頚部外周に取り付けた装着筒１０１により容器体内に下端を垂下させた状態でシリンダ１０２を固定するとともに、シリンダ１０２上端にリングキャップ１０３を嵌着させ、シリンダ１０２上部に外気導入用の吸気孔１０４を穿設してなる固定吸引部１０５と、前記リングキャップ１０３中央の開口１０６より上方付勢状態で上下動可能に突出させたステム１０７上端にノズル付き押し下げヘッド１０８を設けた作動部材１０９とを備え、該作動部材１０９の上下動により容器体内の液を吸い上げてノズルより噴出する如く構成するとともに、作動部材１０９を押し下げた状態で固定吸引部１０５に係止可能に構成している。
【０００３】
このような液体噴出ポンプ１００は、保管時や、運搬等の流通時に容器を倒した場合でも、容器体内の液がシリンダ１０２の吸気孔１０４を通じてリングキャップ１０３中央の開口１０６から漏出することを防止できるようにするために、前記シリンダ１０２上部に摺動可能に嵌合させて前記吸気孔１０４を閉塞可能な摺動閉塞部１１０と、該摺動閉塞部１１０を下部外周より周突設した基筒部１１１とからなり、前記作動部材１０９が最下降の係止状態に移行する際に、作動部材１０９上部に設けた下向き段部１１２により押し下げられて吸気孔１０４を閉塞する如く構成した閉塞筒部材１１３を備えている。
【０００４】
そして、該閉塞筒部材１１３は、使用時に、作動部材１０９と固定吸引部１０５との係止を解除させて作動部材１０９が最上昇状態に移行するに際し、作動部材１０９が閉塞筒部材１１３を押し上げ、摺動閉塞部１１０を吸気孔１０４の上方まで移動させると、摺動閉塞部１１０上端がリングキャップ１０３の案内筒１１４の下端面１１５に当接することで、閉塞筒部材１１３のさらなる上方への移動を阻止するように構成している。
【先行技術文献】
【特許文献】
【０００５】
【特許文献１】特許第３６４９８３１号公報
【発明の概要】
【発明が解決しようとする課題】
【０００６】
前述したような従来の液体噴出ポンプ１００では、閉塞筒部材１１３の組み付けは、リングキャップ１０３に閉塞筒部材１１３を挿入し、該閉塞筒部材１１３にステム１０７を挿入した状態で、リングキャップ１０３をシリンダ１０２上端に嵌着させることによってなされる。
【０００７】
しかしながら、リングキャップ１０３をシリンダ１０２上端に嵌着させる際に、リングキャップ１０３の案内筒１１４が閉塞筒部材１１３の摺動閉塞部１１０上端に乗り上げて、該摺動閉塞部１１０上端を、案内筒１１４とシリンダ１０２内周との間に挟み込み、変形などの損傷を生じさせてしまうおそれがあった。また、使用時には、作動部材１０９と固定吸引部１０５との係止を解除させて作動部材１０９が最上昇状態に移行するに際し、作動部材１０９によって押し上げられた閉塞筒部材１１３の摺動閉塞部１１０がリングキャップ１０３の案内筒１１４の下端面１１５に衝突するため、摺動閉塞部１１０の変形などの損傷を生じさせてしまうおそれもあった。そして、このような閉塞筒部材１１３の損傷が生じた場合には、保管時や運搬等の流通時など、作動部材１０９が最下降の係止状態にあるときに、吸気孔１０４を通じた容器体内からシリンダ１０２内への液の漏出を防止することができず、リングキャップ１０３中央の開口１０６から液が漏出してしまうおそれがあった。
【０００８】
本発明は、このような問題を解決するために開発されたもので、シリンダ上部に設けた吸気孔を閉塞するための閉塞筒部材の組み付け時及び使用時における変形などの損傷を防止し、もって、吸気孔を通じた液漏れを防止することができる液体噴出ポンプを提供することを目的とする。
【課題を解決するための手段】
【０００９】
すなわち、本発明の要旨構成は以下のとおりである。
１．容器体の口頚部外周に取り付けた装着筒により容器体内に下端を垂下させた状態でシリンダを固定するとともに、シリンダ上端にリングキャップを嵌着させ、シリンダ上部に外気導入用の吸気孔を穿設してなる固定吸引部と、
前記リングキャップ中央の開口より上方付勢状態で上下動可能に突出させたステム上端にノズル付き押し下げヘッドを設けた作動部材とを備え、
該作動部材の上下動により容器体内の液を吸い上げてノズルより噴出する如く構成するとともに、作動部材を押し下げた状態で固定吸引部に係止可能に構成し、
前記シリンダ上部に摺動可能に嵌合させて前記吸気孔を閉塞可能な摺動閉塞部と、該摺動閉塞部を下部外周より周突設した基筒部とからなり、前記作動部材が最下降の係止状態に移行する際に、作動部材上部に設けた下向き段部により押し下げられて吸気孔を閉塞する如く構成した閉塞筒部材を備える液体噴出ポンプにおいて、
前記リングキャップは、前記閉塞筒部材の基筒部を挿入させる案内筒を有し、
前記閉塞筒部材の基筒部は、前記作動部材と前記固定吸引部との係止を解除させて作動部材が最上昇状態に移行する際に、作動部材が閉塞筒部材を押し上げ、摺動閉塞部を吸気孔の上方まで移動させると、前記リングキャップの案内筒の下端面に当接して閉塞筒部材のさらなる上方への移動を阻止する上向き段部を有することを特徴とする液体噴出ポンプ。
【発明の効果】
【００１０】
本発明によれば、使用時に、作動部材と固定吸引部との係止を解除させて作動部材が最上昇状態に移行するに際し、作動部材が閉塞筒部材を押し上げ、摺動閉塞部を吸気孔の上方まで移動させると、閉塞筒部材の基筒部に設けた上向き段部がリングキャップの案内筒の下端面に当接して、閉塞筒部材のさらなる上方への移動を阻止することができる。したがって、摺動閉塞部がリングキャップの案内筒の下端面に衝突することがなく、摺動閉塞部の変形などの損傷を防止することができる。また、閉塞筒部材の組み付け時にも、リングキャップをシリンダ上端に嵌着させるに際し、閉塞筒部材の基筒部に設けた上向き段部がリングキャップの案内筒の下端面に当接して、摺動閉塞部上端とリングキャップの案内筒の下端面との接触を阻止するため、摺動閉塞部の変形などの損傷を防止することができる。
【００１１】
したがって、本発明によれば、シリンダ上部に設けた吸気孔を閉塞するための閉塞筒部材の組み付け時及び使用時における変形などの損傷を防止し、もって、吸気孔を通じた液漏れを防止することができる液体噴出ポンプを提供することができる。
【図面の簡単な説明】
【００１２】
【図１】本発明の一実施形態に係る液体噴出ポンプを容器体に装着し、作動部材を最上昇状態とした液体噴出ポンプ付き容器の要部を示す半断面側面図である。
【図２】図１の一部拡大図である。
【図３】図１の作動部材を最下降の係止状態とした液体噴出ポンプ付き容器の要部を示す半断面側面図である。
【図４】従来の液体噴出ポンプを、作動部材の最上昇状態で示す一部断面側面図である。
【図５】図４の一部拡大図である。
【発明を実施するための形態】
【００１３】
以下、図１〜図３を参照して、本発明の一実施形態に係る液体噴出ポンプについて詳細に例示説明する。
図１及び図２に示すように、本実施形態に係る液体噴出ポンプ１は、容器体２の口頚部外周に取り付けた装着筒３により容器体２内に下端を垂下させた状態でシリンダ４を固定するとともに、シリンダ４上端にリングキャップ５を嵌着させ、シリンダ４上部に外気導入用の吸気孔６を穿設してなる固定吸引部Ａと、前記リングキャップ５中央の開口７より上方付勢状態で上下動可能に突出させたステム８上端にノズル９付き押し下げヘッド１０を設けた作動部材Ｂとを備え、該作動部材Ｂの上下動により容器体２内の液を吸い上げてノズル９より噴出する如く構成するとともに、作動部材Ｂを押し下げた状態で固定吸引部Ａに係止可能に構成し、前記シリンダ４上部に摺動可能に嵌合させて前記吸気孔６を閉塞可能な摺動閉塞部１１と、該摺動閉塞部１１を下部（本例では下端）外周より周突設した基筒部１２とからなり、前記作動部材Ｂが最下降の係止状態に移行する際に、作動部材Ｂ上部に設けた下向き段部１３により押し下げられて吸気孔６を閉塞する如く構成した閉塞筒部材１４を備える。
【００１４】
具体的には、固定吸引部Ａは、シリンダ４と、装着筒３と、リングキャップ５とを備える。シリンダ４は、上下端を開口した筒状で、外周上部よりフランジを突設し、下端部は縮径してパイプ１５嵌合用の嵌合筒部に構成し、該筒部内に上端を嵌着させたパイプ１５を容器体２内下端部に垂下させる。また、シリンダ４内下端部には吸い込み弁１６を設けている。
【００１５】
装着筒３は、容器体２の口頚部外周に設けた雄ねじに螺合する雌ねじを内周に有する筒壁１７上端より内周側へ取り付け用のフランジを突設して構成し、該フランジをシリンダ４の前記フランジの上面に装着し、また、シリンダ４上端に嵌着させたリングキャップ５により抜け出しの防止を図り、シリンダ４に対して回動可能に設けている。そして、シリンダ４のフランジ下面をパッキンを介して容器体２口頚部上面に当接させて装着筒３のフランジにより圧接係止させている。
【００１６】
リングキャップ５は、閉塞筒部材１４の基筒部１２を挿入させる案内筒１８を回転防止用の縦リブ１９を介してシリンダ４上端内周に回転不能に嵌合させるとともに、案内筒１８の上下方向中央から外周側に延びるフランジの外周縁に嵌合筒２０を垂設し、該嵌合筒２０内周をシリンダ４上端外周に凹凸係合手段を介して抜け出し不能に嵌合させて構成している。
【００１７】
作動部材Ｂは、押し下げヘッド１０と、ステム８と、ピストン部材２１と、ピストンガイド２２とを備える。押し下げヘッド１０は、ステム８の上端に嵌着した縦筒２３を頂壁２４裏面中央部より垂設するとともに、縦筒２３の外周側で頂壁２４より垂下壁２５を垂設し、且つ縦筒２３上部に基端を開口したノズル９を側方へ突出させて構成している。
【００１８】
ステム８は、上下端が開口した上筒部２６と、上筒部２６の下端から縮径しつつ下方に延び、且つ周方向に間隔を空けて配置した複数の貫通孔２７を有する縮径部２８と、縮径部２８の下端に垂下した下筒部２９と、前記上筒部２６の下端に外周側にテーパ状に延びるスカート部を介して垂設した案内筒壁部３０とからなっている。
【００１９】
ステム８の下部には、ピストン部材２１を設けている。具体的には、ピストン部材２１は、ステム８の案内筒壁部３０の内周に液密に、且つ摺動可能に当接する筒状のシール筒３１と、シール筒３１の下端から外周側に延設したフランジの外周縁に連設した、上方及び下方に向けて拡径するスカート状のピストン３２と、シール筒３１の下端に垂設した環状突起３３とからなる。ピストン３２は、シリンダ４に摺動可能に嵌合している。
【００２０】
ステム８の下筒部２９には、ピストンガイド２２を嵌着させている。ピストンガイド２２は、ステム８の下筒部２９を嵌合係止する環状の嵌合凹部３４を上面に有する頂壁部３５と、頂壁部３５外周縁に垂設した外筒部３６とを有する。外筒部３６の上端外周には、外筒部３６外周とシリンダ４内周との間に隙間を形成するための複数の突起３７を周方向に間隔を空けて設けている。また、頂壁部３５の上面には、ピストン部材２１の環状突起３３の下端に当接可能な環状の当接凹部３８を設けている。
【００２１】
ピストンガイド２２と吸い込み弁１６との間には、コイルスプリング３９を配置している。コイルスプリング３９の上端は、外筒部３６の内周側で、頂壁部３５の下面に当接し、ステム８を上方に付勢している。
【００２２】
前述した固定吸引部Ａと作動部材Ｂとの間には、図３に示すように、押し下げヘッド１０を押し下げ、垂下壁２５に形成した雌ねじをリングキャップ５の案内筒１８の上部外周に形成した雄ねじに螺合させた状態、すなわち、作動部材Ｂが最下降の係止状態に移行する際に、作動部材Ｂ上部に設けた下向き段部１３により押し下げられて吸気孔６を閉塞する如く構成した閉塞筒部材１４を設けている。閉塞筒部材１４の基筒部１２は、作動部材Ｂと固定吸引部Ａとの係止を解除させて作動部材Ｂが最上昇状態に移行する際に、作動部材Ｂが閉塞筒部材１４を押し上げ、図２に示したように、摺動閉塞部１１を吸気孔６の上方まで移動させると、リングキャップ５の案内筒１８の下端面４０に当接して閉塞筒部材１４のさらなる上方への移動を阻止する上向き段部４１を有する。
【００２３】
かかる構成によれば、閉塞筒部材１４の組み付け時には、リングキャップ５に閉塞筒部材１４の基筒部１２を挿入し、該基筒部１２にステム８の上筒部２６を挿入した状態で、リングキャップ５をシリンダ４上端に嵌着させるが、その際、閉塞筒部材１４の基筒部１２に設けた上向き段部４１がリングキャップ５の案内筒１８の下端面４０に当接して、摺動閉塞部１１上端とリングキャップ５の案内筒１８の下端面４０との接触を阻止するため、摺動閉塞部１１の変形などの損傷を防止することができる。
【００２４】
また、液体噴出ポンプ１付き容器の保管時や、運搬等の流通時には、図３に示したように、作動部材Ｂを螺着した状態にしておく。この際、閉塞筒部材１４の摺動閉塞部１１が吸気孔６を閉塞する。したがって、保管時や流通時に容器を倒した場合でも、容器体２内からシリンダ４内への液の漏出が生じることはなく、その結果、リングキャップ５中央の開口７から液が漏出することを防止することができる。ここに、本実施形態に係る液体噴出ポンプ１によれば、前述したように、閉塞筒部材１４の組み付け時における摺動閉塞部１１の変形などの損傷を防止することができるため、保管時や流通時の吸気孔６を通じた液漏れを確実に防止することができる。
【００２５】
また、使用時には、作動部材Ｂと固定吸引部Ａとの係止を解除させて、作動部材Ｂを最上昇状態に移行させるが、この際、ピストン部材２１は、ピストンガイド２２に押し上げられて、ピストン３２上端により、閉塞筒部材１４の摺動閉塞部１１下端を押し上げることができる。このように、作動部材Ｂが閉塞筒部材１４を押し上げ、摺動閉塞部１１を吸気孔６の上方まで移動させると、閉塞筒部材１４の基筒部１２に設けた上向き段部４１がリングキャップ５の案内筒１８の下端面４０に当接して、閉塞筒部材１４のさらなる上方への移動を阻止することができる。したがって、摺動閉塞部１１がリングキャップ５の案内筒１８の下端面４０に衝突することがなく、摺動閉塞部１１の変形などの損傷を防止することができる。
【００２６】
なお、前述したように、作動部材Ｂが閉塞筒部材１４を押し上げ、摺動閉塞部１１を吸気孔６の上方まで移動させた状態では、図２に示したように、摺動閉塞部１１に代えて、ピストン３２で吸気孔６を閉塞することができる。したがって、使用時においても、吸気孔６を通じた液漏れを防止することができる。また、水場で使用する場合に、水が吸気孔６を通じて容器体２内に侵入することを抑制することもできる。
【００２７】
また、容器体２内の液を吐出させるには、この状態から押し下げヘッド１０を何回か上下動させて初期動作を行い、シリンダ４内に容器体２内の液を導入して準備を整える。この際、閉塞筒部材１４は押し上げられた最上方位置に止まっている。次いで、押し下げヘッド１０を押し下げると、シリンダ４内の加圧液が、ピストンガイド２２の外筒部３６外周とシリンダ４との隙間、ピストン部材２１下面とピストンガイド２２上面との隙間、及びステム８の縮径部２８に形成した貫通孔２７を通って、ノズル９から噴出する。次いで、押し下げヘッド１０の押し下げを解除すると、コイルスプリング３９の作用で作動部材Ｂが上昇し、この時、ピストン部材２１の環状突起３３の下端にピストンガイド２２の当接凹部３８が当接して封止することで、ピストンガイド２２の下方のシリンダ４内が負圧化するため、容器体２内の液が吸い込み弁１６を開いて導入される。
【００２８】
なお、前述したところは、本発明の一実施形態を示したにすぎず、特許請求の範囲において、種々の変更を加えてもよいことは言うまでもない。
【符号の説明】
【００２９】
１  液体噴出ポンプ
２  容器体
３  装着筒
４  シリンダ
５  リングキャップ
６  吸気孔
７  開口
８  ステム
９  ノズル
１０  押し下げヘッド
１１  摺動閉塞部
１２  基筒部
１３  下向き段部
１４  閉塞筒部材
１５  パイプ
１６  吸い込み弁
１７  筒壁
１８  案内筒
１９  縦リブ
２０  嵌合筒
２１  ピストン部材
２２  ピストンガイド
２３  縦筒
２４  頂壁
２５  垂下壁
２６  上筒部
２７  貫通孔
２８  縮径部
２９  下筒部
３０  案内筒壁部
３１  シール筒
３２  ピストン
３３  環状突起
３４  嵌合凹部
３５  頂壁部
３６  外筒部
３７  突起
３８  当接凹部
３９  コイルスプリング
４０  下端面
４１  上向き段部
１００  液体噴出ポンプ
１０１  装着筒
１０２  シリンダ
１０３  リングキャップ
１０４  吸気孔
１０５  固定吸引部
１０６  開口
１０７  ステム
１０８  押し下げヘッド
１０９  作動部材
１１０  摺動閉塞部
１１１  基筒部
１１２  下向き段部
１１３  閉塞筒部材
１１４  案内筒
１１５  下端面
Ａ  固定吸引部
Ｂ  作動部材
【図１】
2015085972.tif 000003
【図２】
2015085972.tif 000004
【図３】
2015085972.tif 000005
【図４】
2015085972.tif 000006
【図５】
2015085972.tif 000007